(57)【特許請求の範囲】
【請求項１】
ポリタンク内に溜められた灯油を外部に汲み出し可能な装置であって、
該装置は、ポリタンクの給油口に設置されるロート金具と、
該ロート金具からポリタンク内に垂設された外管と、
該外管内に摺動可能に設けられ、上端側が下方へ押圧された時に下端側の流入口が開くとともに、常にはバネ手段により上方へ付勢されて流入口が閉止される内管と、
前記外管の下端に配置されたＬ筒体内の油室に連通して該油室から下方へ向かって設けられた水中ポンプと、を備え、
前記内管の下端には、前記Ｌ筒体内の油室内においてＬ字状の連結軸の一端側が連結され、該連結軸の他端側は上方へ立設されて外周に前記バネ手段が備えられているとともに上端側にゴム弁が設けられ、該ゴム弁は、常には前記バネ手段の付勢力によりＬ筒体の上端の圧力座部の上方側へ付勢されて前記油室を開けた状態に維持し、前記内管が下方へ押圧され前記流入口が開いた時に前記連結軸を介し前記ゴム弁がＬ筒体の圧力座部に接触して前記油室を閉じるように構成され、
該ゴム弁により前記油室が閉じられた状態で、前記水中ポンプが作動し、ポリタンク内の灯油が前記油室を通り前記流入口から前記内管内に入り、該内管の上端から汲み出されるように構成したことを特徴とする灯油汲み出し装置。
【請求項２】
前記ポリタンクの給油口上に立設されるカートリッジタンクの下端には、前記ロート金具内に差し込まれる口金内に前記内管の上端を下方へ押圧した時に開く弁体が設けられているとともに、
該弁体の上方のカートリッジタンク内には、該弁体が開いた時に上動される上端にゴム弁を有する昇降可能な昇降管と、
該昇降管に平行状に立設され、下端が前記口金に開口された空気孔に連通し、上端に開口を有する固定空気管と、
該固定空気管の上端開口に前記ゴム弁が当接するように常には前記昇降管を下方側へ付勢するバネ手段を備えていることを特徴とする請求項１に記載の灯油汲み出し装置。
【発明の詳細な説明】
【０００１】
【産業上の利用分野】
この発明は、ポリタンク内に溜められた灯油を汲み出すことのできる灯油汲み出し装置に関するものである。
【０００２】
【従来の技術及びその課題】
従来、ポリタンク内に溜められた灯油を、例えば石油ストーブのカートリッジタンク内に移す際に、手動または電動の汲み上げポンプを用いており、灯油の滴が手に着いたり飛び散ったりして、周囲とか手などに灯油の臭いが付着して、特に主婦等に嫌がられる作業となっていた。
【０００３】
【課題を解決するための手段】
本発明は上記従来の問題点に鑑み案出したものであって、手を汚すことなく、容易にポリタンク内の灯油をカートリッジタンクに給油することができる灯油汲み出し装置を提供せんことを目的とし、その第１の要旨は、ポリタンク内に溜められた灯油を外部に汲み出し可能な装置であって、該装置は、ポリタンクの給油口に設置されるロート金具と、該ロート金具からポリタンク内に垂設された外管と、該外管内に摺動可能に設けられ、上端側が下方へ押圧された時に下端側の流入口が開くとともに、常にはバネ手段により上方へ付勢されて流入口が閉止される内管と、前記外管の下端に配置されたＬ筒体内の油室に連通して該油室から下方へ向かって設けられた水中ポンプと、を備え、前記内管の下端には、前記Ｌ筒体内の油室内においてＬ字状の連結軸の一端側が連結され、該連結軸の他端側は上方へ立設されて外周に前記バネ手段が備えられているとともに上端側にゴム弁が設けられ、該ゴム弁は、常には前記バネ手段の付勢力によりＬ筒体の上端の圧力座部の上方側へ付勢されて前記油室を開けた状態に維持し、前記内管が下方へ押圧され前記流入口が開いた時に前記連結軸を介し前記ゴム弁がＬ筒体の圧力座部に接触して前記油室を閉じるように構成され、該ゴム弁により前記油室が閉じられた状態で、前記水中ポンプが作動し、ポリタンク内の灯油が前記油室を通り前記流入口から前記内管内に入り、該内管の上端から汲み出されるように構成したことである。
また、第２の要旨は、前記ポリタンクの給油口上に立設されるカートリッジタンクの下端には、前記ロート金具内に差し込まれる口金内に前記内管の上端を下方へ押圧した時に開く弁体が設けられているとともに、該弁体の上方のカートリッジタンク内には、該弁体が開いた時に上動される上端にゴム弁を有する昇降可能な昇降管と、該昇降管に平行状に立設され、下端が前記口金に開口された空気孔に連通し、上端に開口を有する固定空気管と、該固定空気管の上端開口に前記ゴム弁が当接するように常には前記昇降管を下方側へ付勢するバネ手段を備えていることである。
【０００４】
【実施例】
以下、本発明の実施例を図面に基づいて説明する。
図１は、ポリタンク１の給油口１ａ上にカートリッジタンク２を立設させて、ポリタンク１内の灯油をカートリッジタンク２内に汲み出している状態の斜視構成図であり、図中１ｂは、もう一方側のポリタンクの給油口に取り付けられた給油口キャップであり、また、図中３は、給油口１ａに付設された電池ケース受具である。
【０００５】
このポリタンク１内には、予め図２及び図３で示すような内装ポンプ装置４が設置されており、内装ポンプ装置４は、ポリタンク１の給油口１ａに被せ状に設置されるロート金具５を有し、このロート金具５は、給油口１ａの上面に設置されるフランジ部５ａの内側がアール状のアール部５ｂとなっており、その内側には垂下状に挿着筒部５ｃが一体形成されており、この挿着筒部５ｃの外周及び下端側には開口５ｄが穿設形成されており、この挿着筒部５ｃがポリタンク１の給油口１ａから内部に差し込まれて設置されるものである。
【０００６】
このロート金具５の挿着筒部５ｃ内から下方に向かって垂下状に外管６が垂設されており、外管６の下端にはＬ字状のＬ筒体１０が配置されて、Ｌ筒体１０からさらに下方へ向かって蛇腹ホース１４が設けられ、蛇腹ホース１４の下端側に水中ポンプ１５が設けられたものとなっている。
前記外管６内には上下方向に摺動可能に内管７が設けられており、内管７の下端側は前記Ｌ筒体１０に臨ませて弁部７ａと流入口７ｂが形成されたものとなっており、内管７の上端には上方へ突出状に針金等で突出部８が形成されており、また、その外周にはパッキン９が設けられている。
【０００７】
前記内管７の弁部７ａの下端には、Ｌ筒体１０内の油室Ｓ内においてＬ字状の連結軸１１の一端側が連結されており、連結軸１１の他端側は上方へ立設されて、その外周にバネ１２を備えて上端側にゴム弁１３が設けられたものとなっており、このゴム弁１３は、Ｌ筒体１０の上端の圧力座部１０ａを開閉できるものであり、常にはバネ１２の付勢力によりゴム弁１３は上方側へ付勢されて、圧力座部１０ａを開けた状態に維持できるように構成されている。従って、バネ１２の付勢力は連結軸１１を介して内管７にも作用し、内管７は常には上方側へ付勢されて弁部７ａが外管６の下端に接触して、常には流入口７ｂは閉じられた状態に維持されている。
【０００８】
また、図４の概略図で示すように、圧力座部１０ａには電極接点１８ａが設けられ、一方側のゴム弁１３側には電極接点１８ｂが設けられており、ゴム弁１３が圧力座部１０ａと接触した際に電極接点１８ａと１８ｂが接触して、水中ポンプ１５のモーター１５ａが作動されるように構成されている。即ち、ポンプモーター１５ａはスイッチ１６ａを介して電池１７に接続されており、電池１７は例えば単１電池３本で構成されて、図２に示すような電池ケース１６内に収納されており、電池ケース１６にはスイッチ１６ａが設けられている。この電池１７を収納した電池ケース１６は図１に示すような電池ケース受具３内に入れて、ポリタンク１の外側に設けておくことができ、その他、電源をポリタンク内の適所に配置させる構成としても良い。
このような構成の内装ポンプ装置４は常にはポリタンク１内に内装しておき、ロート金具５の上面に蓋を設けて、灯油を汲み出す時には、蓋を開閉または着脱してロート金具５を露出させることができるように構成しておくことができる。
【０００９】
一方、石油ストーブにセットできるカートリッジタンク２内には、図５に示すようなカートリッジ側内装装置２０が組み込まれている。即ち、図５において、カートリッジタンク２の下端には口金２１が設けられており、口金２１内の下端側には入口座部２２が形成され、この入口座部２２を開閉可能に弁体２３がバネ２４で下方側へ、即ち入口座部２２を常には閉止する方向に付勢されて、バネ２４はバネ筒体２５内に収納されたものとなっており、バネ筒体２５には複数の開口孔２５ａが形成されたものとなっている。
【００１０】
このバネ筒体２５から上方に向かってカートリッジタンク２内に昇降管２９が昇降可能に設けられており、昇降管２９の下端は前記弁体２３の略２mm上方に配置されており、昇降管２９の上端にはゴム弁３１が固設されたものとなっている。また、この昇降管２９と平行状に固定空気管２６がカートリッジタンク２内に立設されており、この固定空気管２６は口金２１内を通って固定されており、その下端は口金２１の下端側面側に傾斜状に開口された空気孔２１ａに連通接続されている。また、固定空気管２６の上端は開口した上端開口２６ａとなっており、この上端開口２６ａは前記ゴム弁３１により開閉されるように構成されている。
固定空気管２６の外周には前記昇降管２９の回りを囲むガイド筒２８がロー付け２８ａされている。また、同様なガイド筒３０が上方側に設けられて、このガイド筒３０は昇降管２９側にロー付け３０ａされている。
また、カートリッジタンク２には内部に流入される灯油の量を外側から確認できるように、下方及び上方にそれぞれ油量確認窓３２ａ，３２ｂが形成されている。
【００１１】
このような内装装置２０を内装したカートリッジタンク２は石油ストーブ内にセットされて灯油が消費されるものであるが、内部の灯油が空になった時には石油ストーブから取り外して、そのまま下端側の口金２１を図１に示すように内装ポンプ装置４のロート金具５に差し込んで、ポリタンク１内に溜められた灯油をカートリッジタンク２内に汲み上げることができるものである。即ち、カートリッジタンク２をポリタンク１の蓋を取ってロート金具５に上方側から差し込むだけで、カートリッジタンク２内に灯油が汲み上げられるように装置が構成されており、口金２１を暗闇でも差し込みやすいように、ロート金具５には口金２１を挿着筒部５ｃ内にガイドするアール部５ｂが形成されているのである。従って、手を汚すことなく石油ストーブから取り出したカートリッジタンク２をポリタンク１の上面に立設させて、灯油の充填を容易に行うことができるものである。
【００１２】
ポリタンク１の上面にカートリッジタンク２を立設させた状態の図を図６に示し説明すると、カートリッジタンク２の口金２１がロート金具５の挿着筒部５ｃ内に差し込まれると、下方側への押圧力が働き、弁体２３が突出部８に当接して、突出部８を下方側へ押圧するとともに、弁体２３はバネ２４の付勢力に抗して上方側へ移動し、入口座部２２が開かれることとなる。突出部８とともに内管７は下方側へ移動し、弁部７ａが開かれて流入口７ｂは油室Ｓ内に配置された状態となり、この状態ではゴム弁１３は圧力座部１０ａに当接して、油室Ｓは閉じられた状態となる。この状態では、図４に示す電極接点１８ａと１８ｂが接触して水中ポンプ１５が作動し、水中ポンプ１５の作動によりポリタンク１内の灯油が蛇腹ホース１４を介して上方へ汲み上げられることとなり、油室Ｓを通り流入口７ｂから灯油は内管７内に入り、内管７の上端から入口座部２２を通ってカートリッジタンク２内に汲み上げられることとなり、徐々にカートリッジタンク２内に灯油が汲み上げられてくる。
【００１３】
一方、この状態では、カートリッジタンク２内の昇降管２９は弁体２３に押し上げられて上動しているため、ゴム弁３１が上方へ配置されて固定空気管２６の上端開口２６ａは解放された状態となっており、カートリッジタンク２内の空気はこの上端開口２６ａから固定空気管２６を通り空気孔２１ａを通ってポリタンク１内に排気されるため、スムーズにカートリッジタンク２内の空気がポリタンク１内に流されて、カートリッジタンク２内には灯油が下方側から上方へ向かって汲み上げられてくる。
カートリッジタンク２内に灯油が満たんとなった状態では、灯油は上端開口２６ａから固定空気管２６内に入り、空気孔２１ａを通りポリタンク１内に戻されるため、カートリッジタンク２内が満たんになっても灯油が溢れ出る心配がなく、暗闇でも良好に作業を行うことができるものであり、また、明るい所では油量確認窓３２ａを見ながら満たんになったことを確認することができるものである。
【００１４】
なお、カートリッジタンク２内が満たんになった状態で、カートリッジタンク２を上方へ持ち上げる時に、カートリッジタンク２を僅かに持ち上げた瞬間に、前記バネ１２の付勢力が作用してゴム弁１３が上動し、圧力座部１０ａが開かれるため、カートリッジタンク２内の圧力は油室Ｓを通り圧力座部１０ａからポリタンク１内に解放されることとなり、その後にカートリッジタンク２側の弁体２３がバネ２４の付勢力で閉止されるように設定されているため、カートリッジタンク２を満たん状態で持ち上げた際にも入口座部２２から灯油が外側へ飛び散ることがなく、カートリッジタンク２を持ち上げた時には完全に弁体２３が入口座部２２に当接閉止されて、灯油が滴り落ちることもなく、油切れが良好に行われる。また、この状態では、内管７は上昇して弁部７ａが当接して流入口７ｂは閉じられるものである。
従って、カートリッジタンク２へ灯油を汲み上げる際に、全く灯油が手に着かず、調理等を行っている際にも良好にカートリッジタンク２内への汲み上げ作業を行うことができるものとなる。
【００１５】
このように本例では、カートリッジタンク２をポリタンク１に上方から差し込んでおくだけで、カートリッジタンク２内に灯油を汲み上げ充填させることができ、作業が極めて容易に行え、暗闇でも作業を行うことができ、手が汚れることもなく、また、油切れが良好でポタポタと滴り落ちることもなく、灯油の臭いが周囲に飛散することもなくなる。
【００１６】
なお、冬が終わり、カートリッジタンク２内に残った灯油をポリタンク１内に移す際には、電源のスイッチ１６ａをＯＦＦ状態としておいて、図１に示すように、カートリッジタンク２をポリタンク１上に差し込んでおくことにより、カートリッジタンク２内に残った灯油を入口座部２２からロート金具５の挿入筒部５ｃを通し開口５ｄからポリタンク１内に流下させて戻すことができ、残った灯油の戻し作業も手を汚すことなく容易に行うことができるものである。
【００１７】
なお、このような作業をより容易化させるために別途スタンドを作り、スタンドの下部にポリタンク１を入れ、上部にカートリッジタンク２を支える部分を形成させておけば、スタンドにより図１の状態を容易に形成させることができるものとなる。
なお、カートリッジタンク２側に、満たんになった時に、満たん状態を音声等で知らせる装置を付けておいても良い。
【００１８】
なお、カートリッジタンク２が内装装置２０を備えていない一般的なカートリッジタンク２である場合には、図８に示すようなアダプター３３を使用して、カートリッジタンク２内に図７に示すようにポリタンク１内の灯油を汲み上げて移すことができるものである。
即ち、アダプター３３は、手で握ることのできる握り部３３ａの下端に前述したのと同様な弁体２３が内装された口金２１が設けられており、他端側には蛇腹ホース３３ｂが設けられて、蛇腹ホース３３ｂの先端には、油切れを良好化するための油切り溝３４ａを形成した吐出金具３４が設けられたものとなっており、握り部３３ａを手で握り、口金２１をポリタンク１に設けられたロート金具５に差し込み押圧することにより、水中ポンプ１５が作動されて良好にポリタンク１内の灯油が汲み上げられてくるため、蛇腹ホース３３ｂの吐出金具３４側を図７のようにカートリッジタンク２に差し込んで、カートリッジタンク２内に灯油を充填させることができる。
【００１９】
なお、カートリッジタンク２が満たんとなった時には、アダプター３３の握り部３３ａの下方への押し付け力を解除すると弁体２３が急閉止して、その状態では空気がアダプター３３に入らず、アダプター３３の吐出金具３４からダラダラと油が流れることが防がれて、油は直ちに止まり、灯油が衣服等に付着することが良好に防がれて、使用が良好なものとなる。
【００２０】
【発明の効果】
本発明は、ポリタンク内に溜められた灯油を外部に汲み出し可能な装置であって、該装置は、ポリタンクの給油口に設置されるロート金具と、該ロート金具からポリタンク内に垂設された外管と、該外管内に摺動可能に設けられ、上端側が下方へ押圧された時に下端側の流入口が開くとともに、常にはバネ手段により上方へ付勢されて流入口が閉止される内管と、前記外管の下端に配置されたＬ筒体内の油室に連通して該油室から下方へ向かって設けられた水中ポンプと、を備え、前記内管の下端には、前記Ｌ筒体内の油室内においてＬ字状の連結軸の一端側が連結され、該連結軸の他端側は上方へ立設されて外周に前記バネ手段が備えられているとともに上端側にゴム弁が設けられ、該ゴム弁は、常には前記バネ手段の付勢力によりＬ筒体の上端の圧力座部の上方側へ付勢されて前記油室を開けた状態に維持し、前記内管が下方へ押圧され前記流入口が開いた時に前記連結軸を介し前記ゴム弁がＬ筒体の圧力座部に接触して前記油室を閉じるように構成され、該ゴム弁により前記油室が閉じられた状態で、前記水中ポンプが作動し、ポリタンク内の灯油が前記油室を通り前記流入口から前記内管内に入り、該内管の上端から汲み出されるように構成したことにより、ポリタンク内にこのような装置を予め設置しておけば、従来のようにポンプを逐一ポリタンク内に差し込む必要がなく、ロート金具に対しカートリッジタンクまたはアダプターを上方より差し込むことで水中ポンプを作動させて、ポリタンク内の灯油を良好に外部に汲み出すことができるものとなり、操作が容易で、従来のようにポンプの置き場に困ることもなく、手を汚さず良好に灯油の汲み出し作業を行うことができるものとなる。
【００２１】
また、前記ポリタンクの給油口上に立設されるカートリッジタンクの下端には、前記ロート金具内に差し込まれる口金内に前記内管の上端を下方へ押圧した時に開く弁体が設けられているとともに、該弁体の上方のカートリッジタンク内には、該弁体が開いた時に上動される上端にゴム弁を有する昇降可能な昇降管と、該昇降管に平行状に立設され、下端が前記口金に開口された空気孔に連通し、上端に開口を有する固定空気管と、該固定空気管の上端開口に前記ゴム弁が当接するように常には前記昇降管を下方側へ付勢するバネ手段を備えていることにより、ポリタンク上にカートリッジタンクを載せるだけで手を汚すことなくポリタンク内の灯油がカートリッジタンク内に汲み出されることとなり、しかもカートリッジタンクを取り外した時に灯油が飛び散ったり、灯油が滴り落ちることがなく、灯油の切れが良好で、衣服等も汚すことがない。
【図面の簡単な説明】
【図１】  ポリタンク上にカートリッジタンクを載せた状態の斜視構成図である。
【図２】  ポリタンク内に内装されるポンプ装置の概略内部構造図である。
【図３】  図２のポンプ装置のポリタンク内での配置断面構成図である。
【図４】  電気回路の概略構成図である。
【図５】  カートリッジタンク内に内装される内装装置の概略構成図である。
【図６】  カートリッジタンク側の内装装置と、ポリタンク側のポンブ装置の接続状態の要部断面構成図である。
【図７】  アダプターを使用してカートリッジタンク内に灯油を汲み出している状態の斜視構成図である。
【図８】  アダプターの斜視構成図である。
【符号の説明】
１  ポリタンク
１ａ  給油口
２  カートリッジタンク
３  電池ケース受具
４  内装ポンプ装置
５  ロート金具
５ａ  フランジ部
５ｂ  アール部
５ｃ  挿着筒部
５ｄ  開口
６  外管
７  内管
７ａ  弁部
７ｂ  流入口
８  突出部
９  パッキン
１０  Ｌ筒体
１０ａ  圧力座部
１１  連結軸
１２  バネ
１３  ゴム弁
１４  蛇腹ホース
１５  水中ポンプ
１６  電池ケース
１６ａ  スイッチ
１７  電池
１８ａ，１８ｂ  電極接点
２０  カートリッジ側内装装置
２１  口金
２１ａ  空気孔
２２  入口座部
２３  弁体
２４  バネ
２５  バネ筒体
２６  固定空気管
２６ａ  上端開口
２７  バネ
２８，３０  ガイド筒
２９  昇降管
３１  ゴム弁
３２ａ，３２ｂ  油量確認窓
３３  アダプター
３３ａ  握り部
３３ｂ  蛇腹ホース
３４  吐出金具
３４ａ  油切り溝
Ｓ  油室
【図１】
0003838847.tif 000002
【図２】
0003838847.tif 000003
【図３】
0003838847.tif 000004
【図４】
0003838847.tif 000005
【図５】
0003838847.tif 000006
【図６】
0003838847.tif 000007
【図７】
0003838847.tif 000008
【図８】
0003838847.tif 000009